(57)【要約】【課題】  施工が容易で、高い換気能力を有し、かつ、換気に伴う熱エネルギー損失の少ない建物の換気構造を提供すること。【解決手段】  ＲＣ工法により造られた建物の換気構造であって、床下部又は天井上部の躯体１内に空気を溜める空間６を設け、この空間内に室内空気が流がれる金属製ダクト８を蛇行配置すると共に、躯体１の壁面に前記空間内にフィルタユニット１２を介して室外空気を取り入れる取入れ口１１を設け、前記空間６内で室内空気と室外空気とを間接的に接触させて熱交換を行う。【選択図】  図１
2006283379.tif 000002
【特許請求の範囲】
【請求項１】
ＲＣ工法により造られた建物の換気構造であって、
床下部又は天井上部の躯体と内装材との間に設けられた空気を溜める空間と、前記空間内に室外空気を取り入れるための吸気口と、前記空間内の空気を室内に導出するための通風口と、前記空間内に蛇行配置された、室内空気が流れる金属製ダクトとを備え、
前記金属製ダクト内を流れる室内空気と前記空間内に取り入れられた室外空気との間で熱交換を行い、前記熱交換がなされた空間内の空気を室内に導出することを特徴とする建物の換気構造。
【請求項２】
前記躯体と内装材のとの間に通気層が形成されると共に、室内空気を前記通気層に導く排気口が設けられ、
前記排気口から導出した空気が通気層を流れ、更に金属製ダクトを流れることを特徴とする請求項１記載の建物の換気構造。
【請求項３】
木造工法により造られた建物の換気構造において、
建物の床下部に設けられた空気を溜める空間と、前記空間内に室外空気を取り入れるための吸気口と、前記空間内の空気を室内に導出するための通風口と、前記空間内に蛇行配置された、室内空気が流れる金属製ダクトとを備え、
前記金属製ダクト内を流れる室内空気と前記空間内に取り入れられた室外空気との間で熱交換を行い、前記熱交換がなされた空間内の空気を室内に導出することを特徴とする建物の換気構造。
【請求項４】
前記室内空間の天井の上部には天井小屋裏が設けられると共に天井に排気口が設けられ、前記排気口を介して室内空気が天井小屋裏に流入し、
前記流入した天井小屋裏の空気は排気用ダクトを通って、金属製ダクトを流れることを特徴とする請求項３記載の建物の換気構造。
【請求項５】
前記金属製ダクトには送風機が取り付けられ、前記金属製ダクト内の空気を吸引し、外部に排気することを特徴とする請求項１乃至請求項４のいずれかに記載の建物の換気構造。
【請求項６】
前記吸気口と空気を溜める空間の間には、フィルタユニットが設置されていることを特徴とする請求項１乃至請求項５のいずれかに記載された建物の換気構造。
【請求項７】
更に、室外空気と室内空気との間の熱交換を行う熱交換器を配置し、前記熱交換が行なわれた室外空気が空気を溜める空間に取り入れられることを特徴とする請求項１乃至請求項６のいずれかに記載の建物の換気構造。
【発明の詳細な説明】
【技術分野】
【０００１】
本発明は、建物の換気構造に関し、詳しくは、施工が容易で、高い換気能力を有し、かつ、換気に伴う熱エネルギー損失の少ない建物の換気構造に関するものである。
【背景技術】
【０００２】
断熱工法の進歩やアルミサッシの普及等により、建物の高気密化が進んでいる。その弊害として結露が生じ、その結果、カビやダニが繁殖し、またカビやダニに起因するアレルギー性疾患の増加等が問題となっている。
また、近年では、建材から発生するホルムアルデヒドなどの有害物質が、発ガン性を有することも指摘されている。この対策として、有害物質の含有量の少ない建材を使用することが考えられるが、接着剤や塗料の使用量の管理が不充分な場合も多く、有効な対策とはなっていない。
更に、この有害物質は建材に限らず、室内に配置する家具やインテリア製品からも大量に放出されている。
【０００３】
そのため、建物、特に住宅においては、建物内を効率的に換気することが必要となる。
ところで、単に窓の開放による換気の場合、換気による熱エネルギー損失が大きく、また室外空気と共に花粉、排気ガス等に含まれる微粒子が室内に入るという弊害がある。また、建造物の床下や天井、壁の内部等の小空間で有害物質の濃度が高い場合には、放散が長時間に及ぶため、窓開放時には濃度が低下するものの、窓を閉めると直ぐに濃度が上昇するという弊害がある。
【０００４】
また、室内外の空気を常時、単に換気する換気構造では、フィルタ等で微粒子を除去でき、また常時、換気しているため有害物質の濃度の上昇を抑えることができる。しかしながら、屋内外の温度差が大きい場合には、熱エネルギーの損失が大きく、室内の快適性が損なわれることになる。そして、これを補うためには、冷暖房設備の容量を大きく、あるいはまた運転時間を長くする必要があり、冷暖房コストの上昇を招くと共に、省エネルギー化にも反することになる。
【０００５】
このような点を考慮して、室内外の空気の温度差を熱交換によって減少させ、省エネルギー化を図った以下のような建物の換気構造が提案されている。
まず、特許文献１で提案されている換気構造は、図７に示すように、建物６０の外壁６１と内壁６２との間に、外気を室内６６に導入する給気通路６３と、室内６６の空気を床下６７に導出する排気通路６４とを、それぞれの通気方向を互いに対向させるとともに、伝熱板６５を介して接触するように並設したものである。そして、この換気構造では、給気通路６３内を通過する外気と排気通路６４内を通過する室内空気との間で、前記伝熱板６５を介して熱交換しつつ、換気が行なわれる。
【０００６】
また、特許文献２で提案されている換気構造にあっては、図８に示すように、家屋７０の小屋裏空間７０Ａや床下空間７０Ｂなどに通じる通気空間７０Ｃが壁７２の内部に形成されている。また、天井懐空間７０Ｄに、熱交換しつつ屋内と屋外の空気を入換可能な熱交換換気装置７３が配置されている。更に、居室７１に当該居室７１内の空気を空間７０Ａ，７０Ｂへ排気する排気口７４が設けられている。
そして、天井懐空間７０Ｄの空気を吸引することにより、居室７１内の空気を吸引し屋外に排気する。一方、屋外から吸引した空気を直接居室７１に供給することにより換気が行なわれる。このとき、前記熱交換換気装置７３によって熱交換がなされる。
【特許文献１】特開平１１−２６４２０１号公報
【特許文献２】特開２００１−３２９６２７号公報
【発明の開示】
【発明が解決しようとする課題】
【０００７】
しかしながら、特許文献１の換気構造では、伝熱板６５、給気通路６３及び排気通路６４が熱交換効率を上げるために波状に形成されているため、加工が極めて複雑となり、施工も困難になるという課題があった。
また、熱交換においては、吸気と排気との間に生ずる漏洩を確実に防止し、吸排気の漏洩によって混合空気が永久循環する防止しなければならないが、この換気構造では、吸排気の漏洩を確実に防止するには、高い加工精度が必要となり、製造コストの上昇を招くという課題があった。
【０００８】
また、特許文献２の換気構造では、室内の空気を直接壁体内や床下、天井裏等の小空間に通してから熱交換換気装置７３で室外に排気している。しかし、室内の空気は水蒸気圧が高いため、前記の小空間において僅かな断熱不良が存在すれば天井部、床部、壁間に結露が生じ、カビやダニが繁殖するという課題があった。
更に、熱交換効率は、吸排気の接触面積が大きく、かつ、接触時間が長い程良いとされている。従って、熱交換換気装置７３のような小空間に配置される熱交換換気装置では効率の良い熱交換ができないという課題があった。
尚、因みに、市販されている多くの熱交換換気装置では、吸気と排気の漏洩比率が１０％乃至３０％と大きな数値となっている。したがって、一般的な熱交換換気装置では、吸排気の漏洩によって混合空気が永久循環して、十分な換気を行うことができないという課題があった。
【０００９】
そこで、本発明は上記技術的課題を解決するためになされたものであり、施工が容易で吸気と排気の漏洩が少なく、かつ、換気に伴う熱エネルギー損失の少なく、更に天井部、床部、壁間に結露が生じ難く、カビやダニの繁殖を抑制した建物の換気構造を提供することを目的とする。
【課題を解決するための手段】
【００１０】
上記課題を解決するためになされた本発明にかかる建物の換気構造は、ＲＣ工法により造られた建物の換気構造であって、床下部又は天井上部の躯体と内装材との間に設けられた空気を溜める空間と、前記空間内に室外空気を取り入れるための吸気口と、前記空間内の空気を室内に導出するための通風口と、前記空間内に蛇行配置された、室内空気が流れる金属製ダクトとを備え、前記金属製ダクト内を流れる室内空気と前記空間内に取り入れられた室外空気との間で熱交換を行い、前記熱交換がなされた空間内の空気を室内に導出することを特徴としている。
【００１１】
このように、空気溜めの空間内で、室外空気と室内空気とが金属製ダクトを介して間接的に接触することにより、熱交換が行なわれる。特に、金属製ダクトが蛇行配置されているため、両者の接触面積がより大きく、かつ、接触時間がより長くなり、熱交換効率が向上する。また金属製ダクトを蛇行配置するという簡単な構成であるため、施工が極めて容易である。
また、室外空気と室内空気とは金属製ダクトにより完全に遮断され、両者の間に生ずる漏洩は確実に防止され、漏洩によって生じる混合空気の永久循環は生じない。
【００１２】
更に、室外空気の温度が低く、室内空気の温度が高く、かつ湿度が高い場合には、室内の空気が、前記空間に流入した室外空気と間接的に接すると結露する場合があるが、結露は金属製ダクト内に生じ、天井部、床部等に結露が生じることはない。したがって、天井部、床部等に発生するカビやダニを抑制することができる。
一方、室内空気の温度低く、室外空気の温度が高く、かつ湿度が高い場合には、金属製ダクトの表面に結露が生ずることなるが、一年を通じてこのような状態になる日は少なく、天井部、床部等にカビやダニが発生することも少ない。
【００１３】
ここで、前記躯体と内装材のとの間に通気層が形成されると共に、室内空気を前記通気層に導く排気口が設けられ、前記排気口から導出した空気が通気層を流れ、更に金属製ダクトを流れることが望ましい。
このように通気層には空気が流れるため、コンクリート表面からの出る強アルカリ水蒸気は壁内に滞留することがない。このため、接着剤やビニール製品に含まれるフタル酸類とコンクリートから発生する強アルカリ水蒸気とが反応する機会が大幅に減少し、また多少発生したとしても、それが室内空間に侵入することはほとんどない。
【００１４】
また、上記課題を解決するためになされた本発明にかかる建物の換気構造は、木造工法により造られた建物の換気構造において、建物の床下部に設けられた空気を溜める空間と、前記空間内に室外空気を取り入れるための吸気口と、前記空間内の空気を室内に導出するための通風口と、前記空間内に蛇行配置された、室内空気が流れる金属製ダクトとを備え、前記金属製ダクト内を流れる室内空気と前記空間内に取り入れられた室外空気との間で熱交換を行い、前記熱交換がなされた空間内の空気を室内に導出することを特徴としている。
この木造工法により造られた建物の換気構造においても、前記したＲＣ工法により造られた建物の換気構造と同様な作用効果を得ることができる。
【００１５】
ここで、前記室内空間の天井の上部には天井小屋裏が設けられると共に天井に排気口が設けられ、前記排気口を介して室内空気が天井小屋裏に流入し、前記流入した天井小屋裏の空気は排気用ダクトを通って、金属製ダクトを流れることが望ましく。
また、前記金属製ダクトには送風機が取り付けられ、前記金属製ダクト内の空気を吸引し、外部に排気することが望ましい。
更に、前記吸気口と空気を溜める空間の間には、フィルタユニットが設置されていることが望ましい。
【００１６】
また、室外空気と室内空気との間の熱交換を行う熱交換器を配置し、前記熱交換が行なわれた室外空気が空気を溜める空間に取り入れられることが望ましい。
このように、空気を溜める空間に取り入れられる前に一度、熱交換を行なうことにより、室外空気と室内空気との温度差を縮める。これにより空気を溜める空間内の結露の発生をより抑制でき、カビやダニの発生をより抑制できる。
【発明の効果】
【００１７】
以上のように、本発明によれば、施工が容易で吸気と排気の漏洩が少なく、かつ、換気に伴う熱エネルギー損失の少なく、更に天井部、床部、壁間に結露が生じ難く、カビやダニの繁殖を抑制した建物の換気構造を得ることができる。
【発明を実施するための最良の形態】
【００１８】
以下、本発明に係る建物の換気構造の第１の実施形態を図１及び図２に基づいて説明する。
この第１の実施形態は、ＲＣ造の戸建て住宅、集合住宅、公共施設等に適した建物の換気構造である。ここで、図１は本発明に係る第１の実施形態を示す模式的な縦断面図、図２は図１の縦断面図と直交する縦断面図を示している。
【００１９】
図中の符号１は、ＲＣ躯体を示している。このＲＣ躯体１は、その内部に内装材３に囲まれた室内空間２を有している。また、内装材３はＲＣ躯体１に対して、幅が１５ｍｍ程度の隙間をもって設置され、ＲＣ躯体１と内装材３の間には、通気層４が形成されている。さらに、室内空間２（内装材３）の床には、ガラリ等の排気口５が設けられ、この排気口５により室内空間２と通気層４とが連通している。
【００２０】
また、ＲＣ躯体１は天井上部にスラブ１ａを有している。そして、このスラブ１ａと内装材３の天井との間に、高さ３０ｃｍ程度で、密閉性が高い空気溜め部６が設けられている。
なお、この空気溜め部６は、ＲＣ躯体１が床下部にスラブを有する場合には、そのスラブと床との間に設けられる。
【００２１】
また、空気溜め部６の隅にはコレクタ７が設置され、このコレクタ７により室内空気は排気口５及び通気層４を通り集められることになる。また、前記コレクタ７には、直径が１００ｍｍ程度で、アルミニウム等の可撓性のある薄い金属からなる金属製ダクト８が連結されている。
そして、この金属製ダクト８は、空気溜め部６内に蛇行させた状態で、なるべく長く配置されている。このように金属製ダクト８を長く配置するのは、空気溜め部６内の空気との接触面積をより多くし、熱交換効率を向上させるためである。
また、前記金属製ダクト８の他端は、送風機９に取り付けられ、送風機９の吐出側に排気口１０が設けられている。
【００２２】
更に、空気溜め部６は、ＲＣ躯体１の壁面に設けられた吸気口１１と、フィルタユニット１２を介して室外と連通している。
このため、室外空気に含まれる花粉や排気ガス等に含まれる微粒子は、前記フィルタユニット１２で取り除かれ、清浄な空気を空気溜め部６内に取り入れることができる。
また、前記空気溜め部６は、天井に設けられたガラリ等の通風口１３を介して室内空間２と連通している。
【００２３】
次に、このような構成からなる建物の換気構造の作用を説明する。
まず、送風機９の電源を入れることにより、図中の矢視で示すように、室内空間２の室内空気は、排気口５を介して通気層４に流れてコレクタ７に集められる。そして、コレクタ７に集められた室内空気は、空気溜め部６内に蛇行配置される金属製ダクト８を通り、送風機９によって排気口１０から室外に排気される。
【００２４】
これにより、ＲＣ造の建物は密閉構造を特徴とするため、室内空間２内は負圧となり、室外空気が吸気口１１よりフィルタユニット１２を通って花粉や排気ガス等に含まれる微粒子を除去しつつ、空気溜め部６内に取り入れられる。
【００２５】
このとき、吸気口１１より取り入れられた室外空気は、空気溜め部６内に蛇行配置される金属製ダクト８内を流れる室内空気と間接的に接触して、熱交換が行われる。そして、温度調整がされた室外空気は、天井に設けられた通風口１３より室内空間２の全体に導入される。
また、室内空間２に導入された空気は、室内空間２内を循環した後、再び、床に設けられた排気口５より吸引される。この流れがサイクルとなり定常的に換気が行われることになる。
【００２６】
このように、空気溜め部６内で、室外空気と室内空気とが金属製ダクト８を介して間接的に接触することにより、熱交換が行なわれる。特に、金属製ダクト８が蛇行配置されているため、両者の接触面積がより大きく、かつ、接触時間がより長くなり、熱交換効率が向上する。また金属製ダクト８を蛇行配置するという簡単な構成であるため、施工が極めて容易である。
また、室外空気と室内空気とは金属製ダクト８により完全に遮断され、両者の間に生ずる漏洩は確実に防止されるため、漏洩によって生じる混合空気の永久循環は生じない。
【００２７】
更に、室外空気の温度が低く、室内空気の温度が高く、かつ湿度が高い場合には、室内の空気が、室外空気と接すると結露する場合があるが、結露は金属製ダクト内に生じ、天井部、床部等に結露が生じることはない。したがって、天井部、床部等に発生するカビやダニを抑制することができる。
尚、金属製ダクト８内にカビやダニが発生したとしても、送風機９によって、外部に排気されるため、人体に対して悪影響を防止できる。
【００２８】
一方、室内空気の温度低く、室外空気の温度が高く、かつ湿度が高い場合には、金属製ダクト８の表面に結露が生ずることなるが、一年を通じてこのような状態になる日は少なく、天井部、床部等にカビやダニが発生することも少ない。
尚、室外空気を、空気溜め部６内に取り入れる前に強制的に結露を生じさせることによって、カビやダニの発生を抑制しても良い。これは湿度を調整する空気調整器あるいは後述する第２の実施形態で示した熱交換器を配置することにより行うことができる。また、金属製ダクト８の周辺の空気溜め部６に、吸湿性の高い多孔質体（例えば活性炭、吸水ポリマー等）を配置して吸水することによって、湿度を調整するようにしても良い。
【００２９】
また、上述の建物の換気構造にあっては、ＲＣ躯体１と内装材３との間に設ける通気層４によって、更に以下の効果も奏するものである。
ＲＣ躯体１と内装材３との間に設ける通気層４を通過する空気は、室内空気であり、室内温度と通気層４を通過する空気の温度は、ほぼ同じ温度である。このため、通気層４を通過する空気が断熱材としての効果を有することになり、ＲＣ躯体１と内装材３との間に断熱材を設ける必要がなくなる。また床下についても通気層４が設けられているため、同様に断熱材を設ける必要がなくなる。
【００３０】
また、床にフローリングや壁面に塩ビクロスを直接接着する工法が用いられている。この工法によると、接着剤やビニール製品に含まれるフタル酸類と、コンクリートの強アルカリ水蒸気とが水和反応を起こし、皮膚や粘膜に対し重大な影響を及ぼす有毒物質である２−エチル１−ヘキサノールを大量に発生する。
しかしながら、上述の建物の換気構造を採用すれば、ＲＣ躯体１より室内側に設ける通気層４には空気が流れるため、コンクリート表面からの出る強アルカリ水蒸気は壁内に滞留することがない。このため、接着剤やビニール製品に含まれるフタル酸類とコンクリートから発生する強アルカリ水蒸気とが反応する機会が大幅に減少し、また多少発生したとしても、それが室内空間２に侵入することはほとんどない。
【００３１】
更に、前記ＲＣ躯体１と内装材３との間の通気層４における空気の流れは、室内空間２内の湿度の上昇を軽減する効果があり、室内空間２内で生ずる結露の問題も解決することができる。
【００３２】
尚、この実施形態では、送風機９により室内空気を吸い出す方式を採用したが、逆に室外空気を送風機により室内に強制的に取り込む方式を採用してもよい。この場合、送風機は吸気口１１に取り付けられる。
また、建物の内装材と躯体１との間に、化学物質（主にトルエン、キシレン、ホルムアルデヒド）類を吸着又は分解せしめる液剤、あるいはこの液剤を含浸させたシート等を配置することが好ましい。これによっても、化学物質をより減少せることもできる。
【００３３】
次に、本発明に係る建物の換気構造の第２の実施形態を図３乃至図６に基づいて説明する。この第２の実施形態は、木造家屋に適した建物の換気構造である。ここで、図３は本発明に係る第２の実施形態を示す模式的な縦断面図、図４は熱交換器の正面図及びＡ−Ａ断面図、図５は木造家屋の基礎及び壁面部分の模式的な縦断面図、図６は木造家屋の屋根部分の模式的な縦断面図を示している。
【００３４】
木造家屋２０の躯体２１の外部は断熱材２３で覆われ、その内部に内装材を介して室内空間２２が形成されている。また、断熱材２３の外側には外装２５が設けられ、断熱材２３と外装２５との間には胴ぶち（図示せず。）により通気層２４が形成されている。
【００３５】
また、室内空間２２の天井には、ガラリ等を設置した排気口（図示せず）があり、この排気口の上部には天井小屋裏２２ａがある。この天井小屋裏２２ａには、排気用ダクト２６の入り口があって、この排気用ダクト２６は床下部に設けられた空気溜め部２７に伸びている。
更に、排気用ダクト２６の他端は、空気溜め部２７においてアルミニウム等の可撓性のある薄い金属製ダクト２８に連結されており、この金属製ダクト２８は空気溜め部２７内を蛇行した状態で、なるべく長くなるように配置されている。
【００３６】
更にまた、金属製ダクト２８の他端は排気ポンプ２９に連結され、この排気ポンプは熱交換器３０を介して排気口３１に連結されている。
尚、木造家屋２０の室内空間２２が、複数の部屋に間仕切りされている場合には、各部屋から天井小屋裏２２ａへ空気が流通するように、各部屋に適宜ガラリ等の空気の流出口を設ける必要がある。
【００３７】
また、前記排気口３１から離れた家屋の上部壁面には、吸気口３２及びフィルタユニット３３が設けられている。これにより、吸気口３２から取り入れられた室外空気は、それに含まれる花粉や排気ガスなどの微粒子等を前記フィルタユニット３３で除去することができる。
また、排気口３１と吸入口３２を離すことにより、室外で吸排気が混合するのを防止することができる。
更に、フィルタユニット３３にはダクト３４が連結され、このダクト３４には空気溜め部２７に配置された熱交換器３０が連結されている。なお、空気溜め部２７は、床に設けられるガラリ等の通風口３５を介して室内空間２と連通している。
【００３８】
ここで、前記熱交換器３０の構造について図４を参照しつつ説明する。
空気溜め部２７に室外空気を直接取り入れた場合、室外空気と金属製ダクト２８内の室内空気の温度差が大きいと結露が生じ、空気溜め部２７内にカビ等が発生することがある。この熱交換器３０は、室外空気と室内空気との温度差を縮め、結露を防止することを目的としている。
【００３９】
この熱交換器３０は、箱型の熱交換器本体３０ａを有している。この熱交換器本体３０ａは、正面視上左側に、排気ポンプ２９と連結される取付け部３０ｂが設けられ、この取付け部３０ｂは熱交換器本体３０ａ内のパイプ３０ｃを介しての右側に設けられた取付け部３０ｄとつながっている。また、熱交換器本体３０ａの取付け部３０ｄは、図示しないパイプ等により排気口３１に連結されている。
【００４０】
また、熱交換器本体３０ａの正面には、ダクト３４が連結される取付け部３０ｅが設けられ、熱交換器本体３０ａの背面にはダクト３４によって流入した室外空気を空気溜め部２７に放出するための出口３０ｆが設けられている。
更に、熱交換器本体３０ａの内部には、前記取付け部３０ｅの近傍に室外空気から不純物を再度取り除くためのフィルタ３０ｇが設けられている。なお、前記したようにフィルタユニット３３及びフィルタ３０ｇの両者を設けた場合について説明したが、いずれか一方であっても良い。
更にまた、前記パイプ３０ｃの周囲には、ダクト３４によって流入した室外空気を乱流とし、熱交換効率を向上させるための薄い金属箔３０ｈが設けられている。
【００４１】
次に、空気溜め部２７の気密性を確保するため、基礎と土台、柱、壁との間を図５に示すような構造とする必要がある。
図５に示すように、コンクリートからなる基礎４０は、その内部に透湿シート４１と気密シート４２の端部を入れた状態で固められると共に、その外周部に断熱材４３が巻かれている。また、前記透湿シート４１及び気密シート４２は基礎４１の上部で室外側に折り曲げられている。
【００４２】
前記折り曲げられた透湿シート４１と気密シート４２の間であって、断熱材４３の上部を覆うように、アルミ箔等からなる金属製の薄膜４４が配置されている。この薄膜４４を設けることにより、シロアリが断熱材４３を通って空気溜め部２７内に侵入し、気密性が失われることがない。また、気密シート４２の上部には、クッション４５が配置されている。
【００４３】
前記クッション４５の上には土台４６及び柱４７が配置され、柱４７の外側には下張り合板４８が取り付けられ、その外側には前記気密シート４２が貼り付けられている。また、気密シート４２の外側には断熱材２３が配置され、その外側には前記透湿シート４１が配置されている。
【００４４】
更に、透湿シート４１の外側には、外装の下地となる下張り合板４９が胴ぶち（図示せず。）を介して取り付けられ、この胴ぶちにより透湿シート４１と下張り合板４９との間に通気層２４が形成されることになる。
そして、下張り合板４９の外側に化粧版やモルタル処理等により、外壁２５が完成することになる。このような構成により、気密性の高い空気溜め部２７を得ることができる。
【００４５】
続いて、屋根小屋裏２２ａに関しても、気密性を確保する必要があるため、木造家屋の屋根部分を図６に示すような構造としている。
即ち、根太５１の上には下張り合板５２が取り付けられ、さらにそれを気密シート５３で覆う。そして、気密シート５３の上に断熱材２３が取り付けられ、さらにそれを透湿シート５５で覆う。
更に、透湿シート５５の外側には下張り合板５７が胴ぶち（図示せず。）を介して張り付けられ、この胴ぶちにより透湿シート５５と下張り合板５７との間に通気層２４が形成されることになる。そして、その下張り合板５７の上に屋根材５８を設置することで屋根が完成する。このような構成により、気密性の高い屋根小屋裏２２ａを確保することができる。
【００４６】
なお、屋根に設ける通気層２４は前述の壁に設けた通気層２４と、また、屋根に設けた断熱材２３は前述の壁に設けた断熱材２３とはつながっている。このため、図５，６においての矢視するように、壁下の開口部から通気層２４内に入った室外空気は、屋根に設ける換気口５９から排気される。よって、前記室外空気は、室内空間、床下空間及び屋根小屋裏の内部に入り込むことがなく、躯体２１の内部は断熱材２３による断熱効果が維持されることなる。
【００４７】
次に、このような構成からなる建物の換気構造の作用について説明する。
まず、排気ポンプ２９の電源を入れる。これにより、室内空間２２の室内空気は、図５に矢視するように、天井に設ける排気口から屋根裏小屋２２ａに集められる。そして、室内空気は、排気ダクト２６及び空気溜め部２７内に蛇行配置される金属製ダクト２８を介して排気ポンプ２９へと導かれる。
前記排気ポンプ２９に集められた室内空気は、熱交換器３０の取付け部３０ｂからパイプ３０ｃを通過して、前記取付け部３０ｄを介して排気口３１から室外に排気される。
【００４８】
これにより、密閉された躯体２１内は負圧になるため、室外空気が吸気口３２からフィルタユニット３３を経由してダクト３４により熱交換器３０に導かれる。
そして、熱交換器３０に導かれた室外空気は、取付け部３０ｅから熱交換器本体３０ａの内部に流入し、フィルタ３０ｇを通過し、更にパイプ３０ｃ及び薄い金属箔３０ｈに接触して熱交換を行いつつ、出口３０ｆより空気溜め部２７内に放出される。
なお、パイプ３０ｃの周囲には薄い金属箔３０ｈが配置されているため、流入された室外空気は乱流状態となり、パイプ３０ｃに接触する。これにより、室内空気と室外空気との接触時間がより長くなり、熱交換効率がより向上する。
【００４９】
また、空気溜め部２７に放出された室外空気は、空気溜め部２７内を蛇行配置された金属製ダクト２８を介して室内空気と間接的に接触し、更に熱交換を行う。そして、温度調整がされた室外空気は、室内空間の床に設けられた通風口３５より室内空間２２の全体に導き出される。前記導き出された室内空気は、室内空間２２内で循環した後、再び、天井に設ける排気口から吸引される。この流れがサイクルとなり定常的に換気が行われることになる。
【００５０】
このように、熱交換器３０によって、まず室外空気と室内空気との温度差を縮め、温度が少ない室外空気を空気溜め部２７に取り入れているため、空気溜め部２７内におけるカビ等の発生を抑制できる。
そして更に、空気溜め部２７内で、室外空気と室内空気とが金属製ダクト２８を介して間接的に接触することにより、熱交換が行なわれる。
このとき、金属製ダクト２８が蛇行配置されているため、両者の接触面積をより大きく、かつ、接触時間を長くでき、熱交換効率が向上する。また、室外空気と室内空気とは金属製ダクト２８により完全に遮断されているため、両者の間に生ずる漏洩は確実に防止され、漏洩によって生じる混合空気の永久循環を防止できる。
【００５１】
なお、実施形態２においても、実施形態１と同様に、室内空気を吸い出す方式を採用したが、逆に室外空気を強制的に室内空気を押し出す方式を採用してもよい。また、建物の躯体と床又は天井との間に、化学物質（主にトルエン、キシレン、ホルムアルデヒド）類を吸着又は分解せしめる液剤、あるいは前記液剤を含浸したシート等を配置することが好ましい。これにより、化学物質をより減少せることができる。
【産業上の利用可能性】
【００５２】
以上説明した本発明に係る建物の換気構造は、新築住宅に限らず、既存住宅を改築することによって容易に適用することができる。
【図面の簡単な説明】
【００５３】
【図１】本発明に係る第１の実施形態を示す模式的な縦断面図である。
【図２】図１の縦断面図と直交する方向からの縦断面図である。
【図３】本発明に係る第２の実施形態を示す模式的な縦断面図である。
【図４】熱交換器の正面図及びＡ−Ａ断面図である。
【図５】木造家屋の基礎及び壁面部分の模式的な縦断面図である。
【図６】木造家屋の屋根部分の模式的な縦断面図である。
【図７】従来の換気構造を示す断面図である。
【図８】従来の他の換気構造を示す概略図である。
【符号の説明】
【００５４】
１    ・・・ＲＣ躯体
１ａ  ・・・スラブ
２    ・・・室内空間
３    ・・・内装
４    ・・・通気層
５    ・・・排気口
６    ・・・空気溜め部（空間）
７    ・・・コレクタ
８    ・・・金属製ダクト
９    ・・・送風機
１０  ・・・排気口
２０  ・・・木造家屋
２１  ・・・躯体
２２  ・・・室内空間
２４  ・・・通気層
２６  ・・・排気用ダクト
２７  ・・・空気溜め部（空間）
２８  ・・・金属製ダクト
３０  ・・・熱交換器
３１  ・・・排気口
３２  ・・・吸気口
３５  ・・・通風口
【図１】
2006283379.tif 000003
【図２】
2006283379.tif 000004
【図３】
2006283379.tif 000005
【図４】
2006283379.tif 000006
【図５】
2006283379.tif 000007
【図６】
2006283379.tif 000008
【図７】
2006283379.tif 000009
【図８】
2006283379.tif 000010